(57)【要約】【課題】オーダーメイド衣服の製作システムにおいて、顧客の体型や好みに合った衣服を簡単で且つ正確に製作することにある。【解決手段】注文用端末装置（２）は、衣服を注文する顧客の顧客注文データを入力させて発信する。制御装置（４）は、注文用端末装置（２）が発信した顧客注文データを受信し、顧客注文データに当てはまる特定型紙パターンデータを予め設定された複数の型紙パターンデータ中から検索して選定し、特定型紙パターンデータの各部分データと顧客注文データの各部分データとが一致しない場合に、特定型紙パターンデータの不一致部分を補正して補正後特定型紙パターンデータを作成し、補正後特定型紙パターンデータを裁断指示データとして設定して発信する。製作用端末装置（６）は、制御装置（４）が発信した裁断指示データを受信し、裁断指示データに基づいて生地を裁断するように裁断装置（７）を作動させる。【選択図】図１
2016177457.tif 000002
【特許請求の範囲】
【請求項１】
顧客からの注文によって衣服を製作するオーダーメイド衣服の製作システムにおいて、
衣服を注文する顧客の顧客注文データを入力させて発信する注文用端末装置と、
前記注文用端末装置が発信した前記顧客注文データを受信し、前記顧客注文データに当てはまる特定型紙パターンデータを予め設定された複数の型紙パターンデータ中から検索して選定し、前記特定型紙パターンデータの各部分データと前記顧客注文データの各部分データとが一致するか否かを判断し、前記特定型紙パターンデータの各部分データと前記顧客注文データの各部分データとが一致する場合に、前記特定型紙パターンデータを裁断指示データとして設定して発信し、一方、前記特定型紙パターンデータ中で前記顧客注文データの部分データと一致しない不一致部分データがあった場合に、前記特定型紙パターンデータの不一致部分データが前記顧客注文データの部分データと一致するように前記特定型紙パターンデータを補正して補正後特定型紙パターンデータを作成し、前記補正後特定型紙パターンデータを裁断指示データとして設定して発信する制御装置と、
前記制御装置が発信した前記裁断指示データを受信し、前記裁断指示データに基づいて生地を裁断するように裁断装置を作動させる製作用端末装置とを備えることを特徴とするオーダーメイド衣服の製作システム。
【請求項２】
前記制御装置は、前記注文用端末装置から受信した前記顧客注文データ中に異常数値データを検出した場合に、前記異常数値データを前記注文用端末装置に発信し、前記注文用端末装置からの前記異常数値データに対する返答としての数値訂正要求データを受信した際に、前記数値訂正要求データに基づいて前記特定型紙パターンデータを訂正して訂正後顧客パターンデータを作成し、前記訂正後顧客パターンデータを裁断指示データとして設定することを特徴とする請求項１に記載のオーダーメイド衣服の製作システム。
【請求項３】
前記制御装置は、前記注文用端末装置から写真画像データを受信した場合に、前記写真画像データと前記特定型紙パターンデータに基づいた裁断指示データとを照合し、前記特定型紙パターンデータに基づいた裁断指示データ中で前記写真画像データの部分データと一致しない不一致部分データがあった場合に、前記特定型紙パターンデータに基づいた裁断指示データの不一致部分データが前記写真画像データの部分データと一致するように前記特定型紙パターンデータに基づいた裁断指示データを修正して修正後顧客パターンデータを作成し、前記修正後顧客パターンデータをあらたな裁断指示データとして設定することを特徴とする請求項１に記載のオーダーメイド衣服の製作システム。
【請求項４】
前記制御装置は、顧客が複数回利用した場合であって、前回の顧客注文データと前記特定型紙パターンデータに基づいた裁断指示データとを比較し、前記特定型紙パターンデータに基づいた裁断指示データ中で前記前回の顧客注文データと一致しない不一致部分データがあった場合に、前記特定型紙パターンデータに基づいた裁断指示データの不一致部分データに相当する部分変化量データを作成して前記注文用端末装置に発信し、前記注文用端末装置からの前記部分変化量データに対する返答としての部分変更要求データを受信した際に、前記部分変更要求データに基づいて前記特定型紙パターンデータに基づいた裁断指示データを変更して変更後顧客パターンデータを作成し、前記変更後顧客パターンデータをあらたな裁断指示データとして設定することを特徴とする請求項１に記載のオーダーメイド衣服の製作システム。
【発明の詳細な説明】
【技術分野】
【０００１】
この発明は、オーダーメイド衣服の製作システムに係り、特に顧客の体型や好みに合った衣類を簡単で且つ正確に製作するオーダーメイド衣服の製作システムに関する。
【背景技術】
【０００２】
スーツなどのオーダーメイド衣服の製作にあっては、通常、先ず、顧客が洋服店などの店舗に行き、店舗にて、生地と型式を選択して指定し、そして、採寸、生地裁断、仮縫いの段階を経た後に、縫製している。
また、近年、インターネット上で、顧客が衣服の注文を行い、顧客の注文内容と基準のサイズとを比較し、顧客の注文内容に合った基準のサイズに基づいて衣服を製作するものがある。
このようなオーダーメイド衣服の製作システムとしては、例えば、以下の先行技術文献がある。
【先行技術文献】
【特許文献】
【０００３】
【特許文献１】特開２００２−３２５８９号公報  特許文献１に係るインターネットオーダーによる衣類の販売等システムは、インターネットで衣類の注文内容を入力させ、インターネットオーダーサイズを得て、そして、購入希望者は、注文内容とインターネットオーダーサイズとを入力して注文が可能となり、オーダーと同様の衣類を製作して販売するものである。
【発明の概要】
【発明が解決しようとする課題】
【０００４】
ところが、従来、衣服の製作にあっては、実際に、顧客の注文内容と基準のサイズとの間に誤差が存在し、このため、顧客の体型や好みに合わすことが困難であり、顧客を十分に満足させることができず、改善が望まれていた。
【０００５】
そこで、この発明は、顧客の体型や好みに合った衣服を簡単で且つ正確に製作するオーダーメイド衣服の製作システムを提供することにある。
【課題を解決するための手段】
【０００６】
この発明は、顧客からの注文によって衣服を製作するオーダーメイド衣服の製作システムにおいて、衣服を注文する顧客の顧客注文データを入力させて発信する注文用端末装置と、前記注文用端末装置が発信した前記顧客注文データを受信し、前記顧客注文データに当てはまる特定型紙パターンデータを予め設定された複数の型紙パターンデータ中から検索して選定し、前記特定型紙パターンデータの各部分データと前記顧客注文データの各部分データとが一致するか否かを判断し、前記特定型紙パターンデータの各部分データと前記顧客注文データの各部分データとが一致する場合に、前記特定型紙パターンデータを裁断指示データとして設定して発信し、一方、前記特定型紙パターンデータ中で前記顧客注文データの部分データと一致しない不一致部分データがあった場合に、前記特定型紙パターンデータの不一致部分データが前記顧客注文データの部分データと一致するように前記特定型紙パターンデータを補正して補正後特定型紙パターンデータを作成し、前記補正後特定型紙パターンデータを裁断指示データとして設定して発信する制御装置と、前記制御装置が発信した前記裁断指示データを受信し、前記裁断指示データに基づいて生地を裁断するように裁断装置を作動させる製作用端末装置とを備えることを特徴とする。
【発明の効果】
【０００７】
この発明は、予め設定された紙型パターンデータを用いて顧客の体型や好みに合った衣服を簡単で且つ正確に製作することができる。
【図面の簡単な説明】
【０００８】
【図１】図１はオーダーメイド衣服の製作システムの構成図である。（実施例１）
【図２】図２はオーダーメイド衣服の製作方法のフローチャートである。（実施例１）
【図３】図３はオーダーメイド衣服の製作システムの構成図である。（実施例２）
【図４】図４はオーダーメイド衣服の製作方法のフローチャートである。（実施例２）
【図５】図５はオーダーメイド衣服の製作システムの構成図である。（実施例３）
【図６】図６はオーダーメイド衣服の製作方法のフローチャートである。（実施例３）
【図７】図７はオーダーメイド衣服の製作システムの構成図である。（実施例４）
【図８】図８はオーダーメイド衣服の製作方法のフローチャートである。（実施例４）
【図９】図９はオーダーメイド衣服の製作システムの構成図である。（実施例５）
【図１０】図１０はオーダーメイド衣服の製作方法のフローチャートである。（実施例５）
【図１１】図１１はオーダーメイド衣服の製作システムの構成図である。（実施例６）
【図１２】図１２はオーダーメイド衣服の製作方法のフローチャートである。（実施例６）
【発明を実施するための形態】
【０００９】
この発明は、顧客の体型や好みに合った衣服を簡単で且つ正確に製作する目的を、予め設定された紙型パターンデータを用いて実現するものである。
【実施例１】
【００１０】
図１、図２は、この発明の実施例１を示すものである。
図１に示すように、オーダーメイド衣服を製作する製作システム１は、インターネットを介して製作する衣服として、例えば、顧客から注文されたスーツを製作するものである。
製作システム１は、注文用端末装置２と、注文用端末装置２に第１の電気通信回線（インターネット）３を介して連絡する制御装置（サーバ）４と、制御装置４に第２の電気通信回線（インターネット）５を介して連絡する製作用端末装置６と、製作用端末装置６に接続する裁断装置７とを備える。
注文用端末装置２と制御装置４とは、第１の電気通信回線３によってそれぞれ相互に通信可能である。制御装置４と製作用端末装置６とは、第２の電気通信回線５によってそれぞれ相互に通信可能である。
【００１１】
注文用端末装置２は、例えば、店舗内に設置され、端末本体８を備えるとともに、端末本体８に接続する入力機器９とＦＡＸ機器１０と表示手段（ディスプレイ）１１とを備え、顧客注文データを入力させて制御装置４に発信する。
入力機器９は、スーツを注文する顧客の顧客注文データを入力させるものであり、例えば、キーボード・マウスなどからなる。
ＦＡＸ機器１０は、スーツを注文する顧客の顧客注文データを文字で入力させるためのものである。この場合、端末本体８は、ＦＡＸ機器１０での文字をデータ変換するための文字データ化変換機能部８Ａを備える。
表示手段１１は、入力機器９及びＦＡＸ機器１０での入力中のデータや顧客注文データなどを目視で確認させるためのものである。
ここで、上述の顧客注文データとは、例えば、店舗内の店員が顧客の身体を測った採寸データ（身長、胸囲、胴回り、襟回り、袖丈などのデータ）、及び店員が顧客から聞いた要求データ（色・柄などのデータ）などのデータである。
【００１２】
制御装置４は、注文用端末装置２が発信した顧客注文データを受信し、顧客注文データに当てはまる特定型紙パターンデータを検索して選定し、この選定された特定型紙パターンデータの各部分が顧客注文データの各部分に一致するように補正した補正後特定型紙パターンデータによって裁断指示データを設定し、この裁断指示データを製作用端末装置６に発信するものである。
制御装置４は、この実施例１において、データ演算処理手段（ＣＰＵ）４Ａと、データベース４Ｂと、ＣＡＤ処理手段４Ｃと、特定型紙パターンデータ選定手段４Ｄと、採寸寸法補正判断手段４Ｅと、補正後パターンデータ作成手段４Ｆと、裁断指示データ設定手段４Ｇと、裁断指示手段４Ｈとを備える。
データ演算処理手段４Ａは、各種データの演算処理を実行する。
データベース４Ｂは、この実施例１では、複数（例えば２００件以上）の型紙パターンデータ（型紙用データ：Ａ体、Ｂ体、ＡＢ体などの各種データ）が予め設定されたパターンデータ部ＤＢ１と、複数人の顧客毎の顧客データが設定された顧客データ部ＤＢ２とを備える。複数の型紙パターンデータ・複数人の顧客毎の顧客データは、例えば、製作用端末装置６の入力操作によってパターンデータ部ＤＢ１・顧客データ部ＤＢ２に記憶される。
ＣＡＤ処理手段４Ｃは、スーツの全体又は各部分毎のパターンを設定するものである。ＣＡＤ処理手段４Ｃは、製作用端末装置６で操作することも可能である。
特定型紙パターンデータ選定手段４Ｄは、データベース４Ｂのパターンデータ部ＤＢ１に予め設定された複数の紙型パターンデータ中から顧客注文データに当てはまる特定型紙パターンデータ（Ａ型、Ｂ型など）を検索して選定する。
採寸寸法補正判断手段４Ｅは、特定型紙パターンデータの各部分データ（予め設定されている身体の腕長さなどの各部分）と、特定型紙パターンデータの各部分データに対応する顧客注文データの各部分データ（実際に測定された顧客の身体の腕長さなどの各部分）とが一致するか否かを判断する。
補正後パターンデータ作成手段４Ｆは、特定型紙パターンデータ中で顧客注文データの部分データと一致しない不一致部分データがあった場合に、特定型紙パターンデータの不一致部分データが顧客注文データの部分データと一致するように特定型紙パターンデータを補正して補正後特定型紙パターンデータを作成する。
裁断指示データ設定手段４Ｇは、採寸寸法補正判断手段４Ｅで特定型紙パターンデータの各部分データと顧客注文データの各部分データとが完全に一致すると判断された場合に、特定型紙パターンデータを裁断指示データとして設定する一方、採寸寸法補正判断手段４Ｅで特定型紙パターンデータの各部分データと顧客注文データの各部分データとが一致しないと判断された場合には、補正後パターンデータ作成手段４Ｆで作成された補正後特定型紙パターンデータを裁断指示データとして設定する。
裁断指示手段４Ｈは、裁断指示データ設定手段４Ｇで設定された裁断指示データを製作用端末装置６に発信する。
【００１３】
製作用端末装置６は、縫製工場内に設置され、制御装置４が発信した裁断指示データを受信し、その裁断指示データに基づいて裁断装置７を作動させ、生地の裁断を実行させる。ここで、生地や生地の色等は、顧客注文データ中から選定されたものである。
製作用端末装置６は、端末本体１２を備えるとともに、端末本体１２に接続する入力機器（キーボード・マウス等）１３と各種データを目視で確認させるための表示手段（ディスプレイ）１４とを備える。
製作用端末装置６には、生地に色等を印刷させるための印刷装置１５が接続される。
【００１４】
この実施例１において、制御装置４は、注文用端末装置２が発信した顧客注文データを受信し、顧客注文データに当てはまる特定型紙パターンデータを予め設定された複数の型紙パターンデータ中から検索して選定し、特定型紙パターンデータの各部分データと顧客注文データの各部分データとが一致するか否かを判断し、特定型紙パターンデータの各部分データと顧客注文データの各部分データとが一致する場合に、特定型紙パターンデータを裁断指示データとして設定する。
一方、制御装置４は、特定型紙パターンデータ中で顧客注文データの部分データと一致しない不一致部分データがあった場合に、特定型紙パターンデータの不一致部分データが顧客注文データの部分データと一致するように特定型紙パターンデータを補正して補正後特定型紙パターンデータを作成し、補正後特定型紙パターンデータを裁断指示データとして設定する。つまり、上述の補正後特定型紙パターンデータとは、注文用端末装置２が発信した顧客注文データに合うように、選定された特定型紙パターンデータの不一致部分データを補正したものである。
【００１５】
次に、この実施例１に係るオーダーメイド衣服の製作方法について、図２のフローチャートに基づいて説明する。
図２に示すように、先ず、店舗にて、店員は、顧客の身体の各部分の寸法を測る採寸を行って採寸データを作成するとともに、顧客の要求を聞いてデザイン・色・柄等の要求データを作成し、そして、これら採寸データと要求データとを合わせた顧客注文データを作成する（ステップＡ０１）。
そして、店員は、その作成した顧客注文データを、入力機器９やＦＡＸ機器１０を用いて注文用端末装置２の端末本体８に入力して制御装置４に発信する（ステップＡ０２）。
【００１６】
制御装置４においては、注文用端末装置２が発信した顧客注文データを受信すると、特定型紙パターンデータ選定手段４Ｄは、データベース４Ｂのパターンデータ部ＤＢ１に予め設定された複数の型紙パターンデータ中からその顧客注文データに当てはまる特定型紙パターンデータを検索して選定する（ステップＡ０３）。この選定された特定型紙パターンデータにより、顧客の体型（Ａ型、Ｂ型等）が決定される。
その後、採寸寸法補正判断手段４Ｅは、特定型紙パターンデータの各部分データと、この特定型紙パターンデータの各部分データに対応する顧客注文データの各部分データとが、一致するか否かを判断する（ステップＡ０４）。
このステップＡ０４がＹＥＳで、特定型紙パターンデータの各部分データと顧客注文データの各部分データとが完全に一致する場合には、裁断指示データ設定手段４Ｇは、特定型紙パターンデータを裁断指示データとして設定する（ステップＡ０５）。
一方、前記ステップＡ０４がＮＯで、特定型紙パターンデータの各部分データと顧客注文データの各部分データとが一致せず、特定型紙パターンデータ中に顧客注文データの部分データと一致しない不一致部分データがあった場合には、補正後パターンデータ作成手段４Ｆは、特定型紙パターンデータの不一致部分データが顧客注文データの部分データと一致するように特定型紙パターンデータを補正して補正後特定型紙パターンデータを作成する（ステップＡ０６）。
そして、裁断指示データ設定手段４Ｇは、この補正後特定型紙パターンデータを、裁断指示データとして設定する（ステップＡ０７）。
その後、裁断指示手段４Ｈは、前記ステップＡ０５又は前記ステップＡ０７で設定されたいずれかの裁断指示データを、製作用端末装置６に発信する（ステップＡ０８）。このステップＡ０８での裁断指示データは、今回の顧客注文データとして、データベース４Ｂの顧客データ部ＤＢ２に記憶される。
そして、製作用端末装置６は、この受信した裁断指示データに基づいて裁断装置７を作動させ、生地の裁断を実行させる（ステップＡ０９）。
【００１７】
この生地の裁断後は、縫製工場内の工員にて、裁断した生地の各パーツを組み付け（ステップＡ１０）、その組み付けられたスーツを検査し（検品）（ステップＡ１１）、さらに、そのスーツの最終の検査を行って仕上げを行う（検品仕上げ）（ステップＡ１２）。
【００１８】
この結果、この実施例１においては、顧客注文データと特定紙型パターンデータとが部分的に異なる場合に、特定紙型パターンデータの不一致部分データを補正して顧客の体型や好みに合ったスーツを簡単で且つ正確に製作することができる。
【実施例２】
【００１９】
図３、図４は、この発明の実施例２を示すものである。
以下の実施例においては、上述の実施例１と同一機能を果たす箇所には、同一符号を付して説明する。
この実施例２の特徴とするところは、以下の点にある。即ち、図３に示すように、制御装置４は、上述の実施例１で例示した各手段に加えて、異常数値検出判断手段４Ｊと異常数値警告発信手段４Ｋと数値訂正要求判断手段４Ｌと訂正後パターンデータ作成手段４Ｍとを備える。
異常数値検出判断手段４Ｊは、注文用端末装置２から受信した顧客注文データ中に異常数値データ（所定の許容範囲を超えたデータ：例えば、規定値から±５ｍｍのデータ）を検出したかを判断する。
異常数値警告発信手段４Ｋは、異常数値検出判断手段４Ｊが異常数値データを検出した場合に、注文用端末装置２にその異常数値データを発信する。
数値訂正要求判断手段４Ｌは、注文用端末装置２からの異常数値データに対する返答としての数値訂正要求データを受信したか否かを判断する。この数値訂正要求データは、例えば、店員が注文用端末装置２を操作することによって入力され且つ発信される。
訂正後パターンデータ作成手段４Ｍは、注文用端末装置２からの異常数値データに対する返答としての数値訂正要求データがあった場合に、その数値訂正要求データに基づいて特定型紙パターンデータを訂正して訂正後顧客パターンデータを作成する。
つまり、この実施例２に係る制御装置４は、注文用端末装置２から受信した顧客注文データ中に異常数値データを検出した場合に、異常数値データを注文用端末装置２に発信し、注文用端末装置２からの異常数値データに対する返答としての数値訂正要求データを受信した際に、数値訂正要求データに基づいて特定型紙パターンデータを訂正して訂正後顧客パターンデータを作成し、訂正後顧客パターンデータを裁断指示データとして設定する。
【００２０】
次に、この実施例２に係るオーダーメイド衣服の製作方法について、図４のフローチャートに基づいて説明する。
図４に示すように、先ず、店舗にて、店員は、顧客の身体の各部分の寸法を測る採寸を行って採寸データを作成するとともに、顧客の要求を聞いてデザイン・色・柄等の要求データを作成し、そして、これら採寸データと要求データとを合わせた顧客注文データを作成する（ステップＢ０１）。
そして、店員は、その作成した顧客注文データを、入力機器９やＦＡＸ機器１０を用いて注文用端末装置２の端末本体８に入力して制御装置４に発信する（ステップＢ０２）。
【００２１】
制御装置４においては、注文用端末装置２が発信した顧客注文データを受信すると、特定型紙パターンデータ選定手段４Ｄは、データベース４Ｂのパターンデータ部ＤＢ１に予め設定された複数の型紙パターンデータ中からその顧客注文データに当てはまる特定型紙パターンデータを検索して選定する（ステップＢ０３）。この選定された特定型紙パターンデータにより、顧客の体型（Ａ型、Ｂ型等）が決定される。
その後、採寸寸法補正判断手段４Ｅは、特定型紙パターンデータの各部分データと、この特定型紙パターンデータの各部分データに対応する顧客注文データの各部分データとが、一致するか否かを判断する（ステップＢ０４）。
このステップＢ０４がＹＥＳで、特定型紙パターンデータの各部分データと顧客注文データの各部分データとが完全に一致する場合には、裁断指示データ設定手段４Ｇは、特定型紙パターンデータを裁断指示データとして設定する（ステップＢ０５）。
一方、前記ステップＢ０４がＮＯで、特定型紙パターンデータ中で顧客注文データの部分データと一致しない不一致部分データがあった場合に、異常数値検出判断手段４Ｊは、特定型紙パターンデータの不一致部分データ中で所定の許容範囲を超えた異常数値データを検出したか否かを判断する（ステップＢ０６）。
このステップＢ０６がＹＥＳの場合には、異常数値警告発信手段４Ｋは、注文用端末装置２にその異常数値データを発信する（ステップＢ０７）。
その後、数値訂正要求判断手段４Ｌは、注文用端末装置２からの異常数値データに対する応答としての数値訂正要求データを受信したか否かを判断する（ステップＢ０８）。
このステップＢ０８がＮＯの場合には、この判断を継続する。
このステップＢ０８がＹＥＳの場合には、訂正後パターンデータ作成手段４Ｍは、数値訂正要求データに基づいて特定型紙パターンデータを訂正して訂正後顧客パターンデータを作成する（ステップＢ０９）。
そして、裁断指示データ設定手段４Ｇは、その訂正後顧客パターンデータを裁断指示データとして設定する（ステップＢ１０）。
一方、前記ステップＢ０６がＮＯの場合には、補正後パターンデータ作成手段４Ｆは、特定型紙パターンデータの不一致部分データが顧客注文データの部分データと一致するように特定型紙パターンデータを補正して補正後特定型紙パターンデータを作成する（ステップＢ１１）。
そして、裁断指示データ設定手段４Ｇは、この補正後特定型紙パターンデータを、裁断指示データとして設定する（ステップＢ１２）。
その後、裁断指示手段４Ｈは、前記ステップＢ０５、前記ステップＢ１０、又は前記ステップＢ１２のいずれかで設定された裁断指示データを、製作用端末装置６に発信する（ステップＢ１３）。このステップＢ１３での裁断指示データは、今回の顧客注文データとして、データベース４Ｂの顧客データ部ＤＢ２に記憶される。
そして、製作用端末装置６は、この受信した裁断指示データに基づいて裁断装置７を作動させ、生地の裁断を実行させる（ステップＢ１４）。
【００２２】
生地の裁断後は、縫製工場内の工員にて、裁断した生地のパーツを組み付けて（ステップＢ１５）、その組み付けられたスーツを検査し（検品）（ステップＢ１６）、さらに、そのスーツの最終の検査を行って仕上げを行う（検品仕上げ）（ステップＢ１７）。
【００２３】
この結果、この実施例２においては、上記の実施例１と同様な効果を得るとともに、顧客注文データ中に異常数値データがあった場合に対しても対応することができ、より正確なスーツを製作させることができる。
【実施例３】
【００２４】
図５、図６は、この発明の実施例３を示すものである。
この実施例３の特徴とするところは、以下の点にある。即ち、図５に示すように、制御装置４は、上述の実施例１で例示した各手段に加えて、追加データ要求判断手段４Ｎと追加後パターンデータ作成手段４Ｐとを備える。
追加データ要求判断手段４Ｎは、注文用端末装置２からの顧客注文データに対して、注文用端末装置２からさらに追加要求データを受信したか否かを判断する。この追加要求データは、例えば、店員が注文用端末装置２を操作することにより、注文用端末装置２に入力されて発信される。
追加後パターンデータ作成手段４Ｐは、注文用端末装置２から追加要求データの発信があった場合に、その追加要求データに基づいて追加後顧客パターンデータを作成する。
つまり、この実施例３に係る制御装置４は、注文用端末装置２から顧客注文データがあった後、さらに、その顧客注文データ中に修正などの追加要求データがあった場合に、その追加要求データを加味し、特定型紙パターンデータを訂正して追加後顧客パターンデータを作成し、この追加後顧客パターンデータを裁断指示データとして設定する。
【００２５】
次に、この実施例３に係るオーダーメイド衣服の製作方法について、図６のフローチャートに基づいて説明する。
図６に示すように、先ず、店舗にて、店員は、顧客の身体の各部分の寸法を測る採寸を行って採寸データを作成するとともに、顧客の要求を聞いてデザイン・色・柄等の要求データを作成し、そして、これら採寸データと要求データとを合わせた顧客注文データを作成する（ステップＣ０１）。
そして、店員は、その作成した顧客注文データを、入力機器９やＦＡＸ機器１０を用いて注文用端末装置２の端末本体８に入力して制御装置４に発信する（ステップＣ０２）。
【００２６】
制御装置４においては、注文用端末装置２が発信した顧客注文データを受信すると、特定型紙パターンデータ選定手段４Ｄは、データベース４Ｂのパターンデータ部ＤＢ１に予め設定された複数の型紙パターンデータ中からその顧客注文データに当てはまる特定型紙パターンデータを検索して選定する（ステップＣ０３）。この選定された特定型紙パターンデータにより、顧客の体型（Ａ型、Ｂ型等）が決定される。
その後、採寸寸法補正判断手段４Ｅは、特定型紙パターンデータの各部分データと、この特定型紙パターンデータの各部分データに対応する顧客注文データの各部分データとが、一致するか否かを判断する（ステップＣ０４）。
このステップＣ０４がＹＥＳで、特定型紙パターンデータの各部分データと顧客注文データの各部分データとが完全に一致する場合には、裁断指示データ設定手段４Ｇは、特定型紙パターンデータを、裁断指示データとして設定する（ステップＣ０５）。
一方、前記ステップＣ０４がＮＯで、特定型紙パターンデータ中で顧客注文データの部分データと一致しない不一致な部分データがあった場合には、補正後パターンデータ作成手段４Ｆは、特定型紙パターンデータの不一致部分データが顧客注文データの部分データと一致するように特定型紙パターンデータを補正して補正後特定型紙パターンデータを作成する（ステップＣ０６）。
そして、裁断指示データ設定手段４Ｇは、この補正後特定型紙パターンデータを裁断指示データとして設定する（ステップＣ０７）。
その後、追加データ要求判断手段４Ｎは、注文用端末装置２からの追加要求データを受信したか否かを判断する（ステップＣ０８）。
このステップＣ０８がＹＥＳの場合には、追加後パターンデータ作成手段４Ｐは、その追加要求データに基づいて前記ステップＣ０５又は前記ステップＣ０７で設定されたいずれかの裁断指示データ（特定型紙パターンデータに基づいた裁断指示データに相当する）を訂正して追加後顧客パターンデータを作成する（ステップＣ０９）。
そして、裁断指示データ手段４Ｇは、この追加後顧客パターンデータをあらたな裁断指示データとして設定する（ステップＣ１０）。
一方、前記ステップＣ０８がＮＯの場合には、裁断指示データ設定手段４Ｇは、前記ステップＣ０７における裁断指示データとする（ステップＣ１１）。
その後、裁断指示手段４Ｈは、前記ステップＣ０５、前記ステップＣ１０、又は前記ステップＣ１１で設定されたいずれかの裁断指示データを、製作用端末装置６に発信する（ステップＣ１２）。このステップＣ１２での裁断指示データは、今回の顧客注文データとして、データベース４Ｂの顧客データ部ＤＢ２に記憶される。
そして、製作用端末装置６は、この受信した裁断指示データに基づいて裁断装置７を作動させ、生地の裁断を実行させる（ステップＣ１３）。
【００２７】
生地の裁断後は、縫製工場内の工員にて、裁断した生地のパーツを組み付け（ステップＣ１４）、その組み付けられたスーツを検査し（検品）（ステップＣ１５）、さらに、そのスーツの最終の検査を行って仕上げを行う（検品仕上げ）（ステップＣ１６）。
【００２８】
この結果、この実施例３においては、上記の実施例１と同様な効果を得るとともに、一度顧客注文データを発信した後でも、顧客注文データの追加が可能となり、より顧客の希望に合ったスーツを製作することができる。
【実施例４】
【００２９】
図７、図８は、この発明の実施例４を示すものである。
この実施例４の特徴とするところは、以下の点にある。即ち、図７に示すように、注文用端末装置２の端末本体８には、写真画像データを取得する撮像手段（カメラ）１６が接続される。また、制御装置４は、写真画像データ判断手段４Ｑと写真画像データ照合手段４Ｒと修正後パターンデータ作成手段４Ｓとを備える。
写真画像データ判断手段４Ｑは、注文用端末装置２からの撮像手段１６で写した顧客の写真画像データ（例えば、体型の輪郭線）を受信したか否かを判断する。
写真画像データ照合手段４Ｒは、特定型紙パターンデータに基づいた裁断指示データの各部分と写真画像データの各部分とを照合する。
修正後パターンデータ作成手段４Ｓは、特定型紙パターンデータに基づいた裁断指示データが写真画像データと部分的に異なる場合に、特定型紙パターンデータに基づいた裁断指示データの不一致部分データが写真画像データの部分データと一致するように特定型紙パターンデータに基づいた裁断指示データを修正して修正後顧客パターンデータを作成する。
つまり、この実施例４に係る制御装置４は、注文用端末装置２から写真画像データを受信した場合に、写真画像データと特定型紙パターンデータに基づいた裁断指示データとを照合し、特定型紙パターンデータに基づいた裁断指示データ中で写真画像データの部分データと一致しない不一致部分データがあった場合に、特定型紙パターンデータに基づいた裁断指示データの不一致部分データが写真画像データの部分データと一致するように特定型紙パターンデータに基づいた裁断指示データを修正して修正後顧客パターンデータを作成し、修正後顧客パターンデータをあらたな裁断指示データとして設定する。
【００３０】
次に、この実施例４に係るオーダーメイド衣服の製作方法について、図８のフローチャートに基づいて説明する。
図８に示すように、先ず、店舗にて、店員は、顧客の身体の各部分の寸法を測る採寸を行って採寸データを作成するとともに、顧客の要求を聞いてデザイン・色・柄等の要求データを作成し、そして、これら採寸データと要求データとを合わせた顧客注文データを作成する（ステップＤ０１）。
そして、店員は、その作成した顧客注文データを、入力機器９やＦＡＸ機器１０を用いて注文用端末装置２の端末本体８に入力して制御装置４に発信する（ステップＤ０２）。
【００３１】
制御装置４においては、注文用端末装置２が発信した顧客注文データを受信すると、特定型紙パターンデータ選定手段４Ｄは、データベース４Ｂのパターンデータ部ＤＢ１に予め設定された複数の型紙パターンデータ中からその顧客注文データに当てはまる特定型紙パターンデータを検索して選定する（ステップＤ０３）。この選定された特定型紙パターンデータにより、顧客の体型（Ａ型、Ｂ型等）が決定される。
その後、採寸寸法補正判断手段４Ｅは、特定型紙パターンデータの各部分データと、この特定型紙パターンデータの各部分データに対応する顧客注文データの各部分データとが、一致するか否かを判断する（ステップＤ０４）。
このステップＤ０４がＹＥＳで、特定型紙パターンデータの各部分データと顧客注文データの各部分データとが完全に一致する場合には、裁断指示データ設定手段４Ｇは、特定型紙パターンデータを裁断指示データとして設定する（ステップＤ０５）。
一方、前記ステップＤ０４がＮＯで、特定型紙パターンデータの各部分データと顧客注文データの各部分データとが一致せず、特定型紙パターンデータ中に顧客注文データの部分データと一致しない不一致部分データがあった場合には、補正後パターンデータ作成手段４Ｆは、特定型紙パターンデータの不一致部分データが顧客注文データの部分データと一致するように特定型紙パターンデータ補正して補正後特定型紙パターンデータを作成する（ステップＤ０６）。
そして、裁断指示データ設定手段４Ｇは、この補正後特定型紙パターンデータを裁断指示データとして設定する（ステップＤ０７）。
その後、写真画像データ判断手段４Ｑは、注文用端末装置２からの撮像手段１６で写した顧客の写真画像データを受信したか否かを判断する（ステップＤ０８）。
このステップＤ０８がＹＥＳの場合には、写真画像照合手段４Ｒは、前記ステップＤ０５又は前記ステップＤ０７で設定されたいずれかの裁断指示データ（特定型紙パターンデータに基づいた裁断指示データに相当する）の各部分データと写真画像データの各部分データとを照合し、その裁断指示データの各部分データと写真画像データの各部分データとが一致するか否かを判断する（ステップＤ０９）。この写真画像データは、データベース４Ｂの顧客データ部ＤＢ２に記憶され、顧客データとして利用される。
このステップＤ０９がＹＥＳの場合、又は前記ステップＤ０８がＮＯの場合には、裁断指示データ設定手段４Ｇは、前記ステップＤ０７における裁断指示データとする（ステップＤ１０）。
一方、このステップＤ０９がＮＯで、特定型紙パターンデータに基づいた裁断指示データの各部分データと写真画像データの各部分データとが一致しない場合には、修正後パターンデータ作成手段４Ｓは、特定型紙パターンデータに基づく裁断指示データの不一致部分が写真画像データの部分データと一致するように、特定型紙パターンデータに基づく裁断指示データを修正して修正後顧客パターンデータを作成する（ステップＤ１１）。この裁断指示データを写真画像データと一致するように修正する場合に、修正する度合いを、注文用端末装置２からの指示データにより、段階的にデータ設定（例えば、写真画像データよりも少しだけ大きなサイズデータに設定）を変更することも可能である。
そして、裁断指示データ設定手段４Ｇは、その修正後顧客パターンデータをあらたな裁断指示データとして設定する（ステップＤ１２）。
その後、裁断指示手段４Ｈは、前記ステップＤ１０又は前記ステップＤ１２で設定されたいずれかの裁断指示データを、製作用端末装置６に発信する（ステップＤ１３）。このステップＤ１３での裁断指示データは、今回の顧客注文データとして、データベース４Ｂの顧客データ部ＤＢ２に記憶される。
そして、製作用端末装置６は、この受信した裁断指示データに基づいて裁断装置７を作動させ、生地の裁断を実行させる（ステップＤ１４）。
【００３２】
生地の裁断後は、縫製工場内の工員にて、裁断した生地のパーツを組み付け（ステップＤ１５）、その組み付けられたスーツを検査し（検品）（ステップＤ１６）、さらに、そのスーツの最終の検査を行って仕上げを行う（検品仕上げ）（ステップＤ１７）。
【００３３】
この結果、この実施例４においては、上記の実施例１と同様な効果を得るとともに、写真画像データによってスーツのサイズを確認することができ、より正確なスーツを製作することができる。
【実施例５】
【００３４】
図９、図１０は、この発明の実施例５を示すものである。
この実施例５の特徴とするところは、以下の点にある。即ち、図９に示すように、制御装置４は、著名人相似型データ発信手段４Ｔと著名人相似型要求判断手段４Ｕと著名人相似型パターンデータ作成手段４Ｖとを備える。また、データベース４Ｂには、顧客としての複数の著名人の著名人パターンデータを記憶する著名人パターンデータ部ＤＢ３が設けられる。
著名人相似型データ発信手段４Ｔは、顧客注文データに基づいた裁断指示データと相似する特定著名人パターンデータを、データベース４Ｂの著名人パターンデータ部ＤＢ３から検索して注文用端末装置２に発信する。
著名人相似型要求判断手段４Ｕは、注文用端末装置２からの特定著名人パターンデータに対する返答としての要求意思データを受信したか否かを判断する。要求意思データは、注文用端末装置２が操作されることにより、注文用端末装置２から発信される。
著名人相似型パターンデータ作成手段４Ｖは、注文用端末装置２からの要求意思データに基づいて特定著名人パターンデータに相似するように著名人型顧客パターンデータを作成する。
つまり、この実施例５に係る制御装置４は、顧客が希望する場合に、複数の著名人パターンデータ中から顧客の体型と相似する著名人型顧客パターンデータを作成し、この著名人型顧客パターンデータを裁断指示データとして設定する。
【００３５】
次に、この実施例５に係るオーダーメイド衣服の製作方法について、図１０のフローチャートに基づいて説明する。
図１０に示すように、先ず、店舗にて、店員は、顧客の身体の各部分の寸法を測る採寸を行って採寸データを作成するとともに、顧客の要求を聞いてデザイン・色・柄等の要求データを作成し、そして、これら採寸データと要求データとを合わせた顧客注文データを作成する（ステップＥ０１）。
そして、店員は、その作成した顧客注文データを、入力機器９やＦＡＸ機器１０を用いて注文用端末装置２の端末本体８に入力して制御装置４に発信する（ステップＥ０２）。
【００３６】
制御装置４においては、注文用端末装置２が発信した顧客注文データを受信すると、特定型紙パターンデータ選定手段４Ｄは、データベース４Ｂのパターンデータ部ＤＢ１に予め設定された複数の型紙パターンデータ中からその顧客注文データに当てはまる特定型紙パターンデータを検索して選定する（ステップＥ０３）。この選定された特定型紙パターンデータにより、顧客の体型（Ａ型、Ｂ型等）が決定される。
その後、採寸寸法補正判断手段４Ｅは、特定型紙パターンデータの各部分データと、この特定型紙パターンデータの各部分データに対応する顧客注文データの各部分データとが、一致するか否かを判断する（ステップＥ０４）。
このステップＥ０４がＹＥＳで、特定型紙パターンデータの各部分データと顧客注文データの各部分データとが完全に一致する場合には、裁断指示データ設定手段４Ｇは、特定型紙パターンデータを裁断指示データとして設定する（ステップＥ０５）。
一方、前記ステップＥ０４がＮＯで、特定型紙パターンデータ中で顧客注文データの部分データと一致しない不一致部分データがあった場合には、補正後パターンデータ作成手段４Ｆは、特定型紙パターンデータの不一致部分データが顧客注文データの部分データと一致するように特定型紙パターンデータを補正して補正後特定型紙パターンデータを作成する（ステップＥ０６）。
そして、裁断指示データ設定手段４Ｇは、この補正後特定型紙パターンデータを裁断指示データとして設定する（ステップＥ０７）。
そして、著名人相似型データ発信手段４Ｔは、前記ステップＥ０５又は前記ステップＥ０７で設定されたいずれかの裁断指示データに相似する特定著名人パターンデータを、データベース４Ｂの著名人パターンデータ部ＤＢ３から検索して注文用端末装置２に発信する（ステップＥ０８）。
そして、著名人相似型要求判断手段４Ｕは、注文用端末装置２からの特定著名人パターンデータに対する返答としての要求意思データを受信したか否かを判断する（ステップＥ０９）。
このステップＥ０９がＹＥＳの場合には、著名人相似型パターンデータ作成手段４Ｖは、要求意思データに基づいて著名人型顧客パターンデータを作成する（ステップＥ１０）。
そして、裁断指示データ設定手段４Ｇは、この著名人型顧客パターンデータを、あらたな裁断指示データとして設定する（ステップＥ１１）。
一方、前記ステップＥ０９がＮＯの場合には、裁断指示データ設定手段４Ｇは、前記ステップＥ０７における裁断指示データとする（ステップＥ１２）。
その後、裁断指示手段４Ｈは、前記ステップＥ１１又は前記ステップＥ１２で設定されたいずれかの裁断指示データを、製作用端末装置６に発信する（ステップＥ１３）。このステップＥ１３での裁断指示データは、今回の顧客注文データとして、データベース４Ｂの顧客データ部ＤＢ２に記憶される。
そして、製作用端末装置６は、この受信した裁断指示データに基づいて裁断装置７を作動させ、生地の裁断を実行させる（ステップＥ１４）。
【００３７】
生地の裁断後は、縫製工場内の工員にて、裁断した生地のパーツを組み付け（ステップＥ１５）、その組み付けられたスーツを検査し（検品）（ステップＥ１６）、さらに、そのスーツの最終の検査を行って仕上げを行う（検品仕上げ）（ステップＥ１７）。
【００３８】
この結果、この実施例５においては、上記の実施例１と同様な効果を得るとともに、著名人型と相似型のスーツを容易に製作することができ、顧客に喜んでもらえることができる。
【実施例６】
【００３９】
図１１、図１２は、この発明の実施例６を示すものである。
この実施例６の特徴とするところは、以下の点にある。即ち、図１１に示すように、制御装置４は、体型変化量データ作成手段４Ｗと体型変化警告発信手段４Ｘと体型変化変更要求判断手段４Ｙと変更後パターンデータ作成手段４Ｚとを備える。
体型変化量データ作成手段４Ｗは、顧客が複数回利用した場合であって、特定型紙パターンデータに基づいた裁断指示データ中でデータベース４Ｂの顧客データ部ＤＢ１に記憶された前回の顧客注文データと一致しない不一致部分データがあった場合に、特定型紙パターンデータに基づいた裁断指示データの不一致部分データに相当する部分変化量データを作成する。
体型変化警告発信手段４Ｘは、体型変化量データ作成手段４Ｗで作成された部分変化量データを注文用端末装置２に発信する。
体型変化変更要求判断手段４Ｙは、注文用端末装置２からの部分変化量データに対する返答としての部分変更要求データを受信したか否かを判断する。
変更後パターンデータ作成手段４Ｚは、注文用端末装置２から部分変更要求データを受信した場合に、部分変更要求データに基づいて特定型紙パターンデータに基づいた裁断指示データを変更して変更後顧客パターンデータを作成する。
つまり、この実施例６に係る制御装置４は、顧客が複数回利用した場合であって、データベース４Ｂの顧客データ部ＤＢ１に記憶された前回の顧客注文データと特定型紙パターンデータに基づいた裁断指示データとを比較し、特定型紙パターンデータに基づいた裁断指示データ中で前回の顧客注文データと一致しない不一致部分データがあった場合に、特定型紙パターンデータに基づいた裁断指示データの不一致部分データに相当する部分変化量データを作成して注文用端末装置２に発信し、注文用端末装置２からの部分変化量データに対する返答としての部分変更要求データを受信した際に、部分変更要求データに基づいて特定型紙パターンデータに基づいた裁断指示データを変更して変更後顧客パターンデータを作成し、変更後顧客パターンデータをあらたな裁断指示データとして設定する。
【００４０】
次に、この実施例６に係るオーダーメイド衣服の製作方法について、図１２のフローチャートに基づいて説明する。
図１２に示すように、先ず、店舗にて、店員は、顧客の身体の各部分の寸法を測る採寸を行って採寸データを作成するとともに、顧客の要求を聞いてデザイン・色・柄等の要求データを作成し、そして、これら採寸データと要求データとを合わせた顧客注文データを作成する（ステップＦ０１）。
そして、店員は、その作成した顧客注文データを、入力機器９やＦＡＸ機器１０を用いて注文用端末装置２の端末本体８に入力して制御装置４に発信する（ステップＦ０２）。
【００４１】
制御装置４においては、注文用端末装置２が発信した顧客注文データを受信すると、特定型紙パターンデータ選定手段４Ｄは、データベース４Ｂのパターンデータ部ＤＢ１に予め設定された複数の型紙パターンデータ中からその顧客注文データに当てはまる特定型紙パターンデータを検索して選定する（ステップＦ０３）。この選定された特定型紙パターンデータにより、顧客の体型（Ａ型、Ｂ型等）が決定される。
その後、採寸寸法補正判断手段４Ｅは、特定型紙パターンデータの各部分データと、この特定型紙パターンデータの各部分データに対応する顧客注文データの各部分データとが、一致するか否かを判断する（ステップＦ０４）。
このステップＦ０４がＹＥＳで、特定型紙パターンデータの各部分データと顧客注文データの各部分データとが完全に一致する場合には、裁断指示データ設定手段４Ｇは、特定型紙パターンデータを裁断指示データとして設定する（ステップＦ０５）。
一方、前記ステップＦ０４がＮＯで、特定型紙パターンデータの各部分データと顧客注文データの各部分データとが一致せず、特定型紙パターンデータ中に顧客注文データの部分データと一致しない不一致部分データがあった場合には、補正後パターンデータ作成手段４Ｆは、特定型紙パターンデータの不一致部分データが顧客注文データの部分データと一致するように特定型紙パターンデータを補正して補正後特定型紙パターンデータを作成する（ステップＦ０６）。
そして、裁断指示データ設定手段４Ｇは、この補正後特定型紙パターンデータを裁断指示データとして設定する（ステップＦ０７）。
その後、採寸寸法補正判断手段４Ｅは、前回の顧客注文データの各部分データと特定型紙パターンデータに基づいた裁断指示データ（前記ステップＦ０５又は前記ステップＦ０７のいずれかの裁断指示データに相当する）の各部分データとが一致するか否かを判断する（ステップＦ０８）。
このステップＦ０８がＮＯで、データベース４Ｂの顧客データ部ＤＢ１に記憶された前回の顧客注文データの各部分データと特定型紙パターンデータに基づいた裁断指示データの各部分データとが一致しない場合には、体型変化量データ作成手段４Ｗは、特定型紙パターンデータに基づいた裁断指示データの不一致部分データに相当する部分変化量データを作成する（ステップＦ０９）。この部分変化量データは、データベース４Ｂの顧客データ部ＤＢ２に記憶され、顧客データとして利用される。
そして、体型変化警告発信手段４Ｘは、体型変化量データ作成手段４Ｗで作成された部分変化量データを注文用端末装置２に発信する（ステップＦ１０）。これにより、顧客は、前回に比べて今回どの程度の体型変化があったかを確認することができる。
そして、体型変化変更要求判断手段４Ｙは、注文用端末装置２から部分変化量データに対する返答としての部分変更要求データを受信したか否かを判断する（ステップＦ１１）。この部分変更要求データは、部分変化量データに対してどの程度の量を変更するかのデータであり、注文用端末装置２の操作で入力されて発信される。
このステップＦ１１がＹＥＳの場合には、変更後パターンデータ作成手段４Ｚは、注文用端末装置２からの部分変更要求データに基づいて特定型紙パターンデータに基づいた裁断指示データを変更して変更後顧客パターンデータを作成する（ステップＦ１２）。
そして、裁断指示データ設定手段４Ｇは、その変更後顧客パターンデータを、あらたな裁断指示データとして設定する（ステップＦ１３）。
一方、前記ステップＦ０８がＹＥＳで、前回の顧客注文データの各部分データと特定型紙パターンデータに基づいた裁断指示データ（前記ステップＦ０５又は前記ステップＦ０７のいずれかの裁断指示データに相当する）の各部分データとが一致する場合には、裁断指示手段４Ｈは、その特定型紙パターンデータに基づいた裁断指示データ（前記ステップＦ０５又は前記ステップＦ０７のいずれかの裁断指示データに相当する）、又は前記ステップＦ１３で設定されたあらたな裁断指示データのいずれかの裁断指示データを、製作用端末装置６に発信する（ステップＦ１４）。なお、前記ステップＦ１１がＮＯの場合には、部分変更要求データがないことから、直接的に前記ステップＦ１４に移行する。また、このステップＦ１４での裁断指示データは、今回の顧客注文データとして、データベース４Ｂの顧客データ部ＤＢ２に記憶される。
そして、製作用端末装置６は、制御装置４から受信した裁断指示データに基づいて裁断装置７を作動させ、生地の裁断を実行させる（ステップＦ１５）。
【００４２】
生地の裁断後は、縫製工場内の工員にて、裁断した生地のパーツを組み付け（ステップＦ１６）、その組み付けられたスーツを検査し（検品）（ステップＦ１７）、さらに、そのスーツの最終の検査を行って仕上げを行う（検品仕上げ）（ステップＦ１８）。
【００４３】
この結果、この実施例６においては、上記の実施例１と同様な効果を得るとともに、顧客の体型の変化量に応じて特定型紙パターンデータを変更し、より好みのスーツを簡単に製作することができる。
【００４４】
なお、この発明においては、上述の実施例１〜６に記載の各特徴的部分を、適宜組み合わせて生地の裁断を実行することも可能である。
【産業上の利用可能性】
【００４５】
この発明に係るオーダーメイド衣服の製作システムは、スーツのみならず各種衣服の製作にも適用可能である。
【符号の説明】
【００４６】
１  オーダーメイド衣服の製作システム
２  注文用端末装置
３  第１の電気通信回線
４  制御装置
４Ａ  データ演算処理手段
４Ｂ  データベース
４Ｃ  ＣＡＤ処理手段
４Ｄ  特定型紙パターンデータ選定手段
４Ｅ  採寸寸法補正判断手段
４Ｆ  補正後パターンデータ作成手段
４Ｇ  裁断指示データ設定手段
４Ｈ  裁断指示手段
５  第２の電気通信回線
６  製作用端末装置
７  裁断装置
８  注文用端末装置の端末本体
９  注文用端末装置の入力機器
１０  注文用端末装置のＦＡＸ機器
１１  注文用端末装置の表示手段
１２  製作用端末装置の端末本体
１３  製作用端末装置の入力機器
１４  製作用端末装置の表示手段
１５  印刷装置
１６  撮像手段（カメラ）
【図１】
2016177457.tif 000003
【図２】
2016177457.tif 000004
【図３】
2016177457.tif 000005
【図４】
2016177457.tif 000006
【図５】
2016177457.tif 000007
【図６】
2016177457.tif 000008
【図７】
2016177457.tif 000009
【図８】
2016177457.tif 000010
【図９】
2016177457.tif 000011
【図１０】
2016177457.tif 000012
【図１１】
2016177457.tif 000013
【図１２】
2016177457.tif 000014